(57)【要約】【課題】  データ通信装置から宛先不明の電子メールが送信された場合に、前記宛先不明の電子メールに関するユーザの知らないうちに、データ通信装置のアドレス登録情報が変更されることがなく、前記宛先不明の電子メールに関するユーザによって、データ通信装置のアドレス登録情報の管理が可能になるデータ通信装置、データ通信方法、データ通信プログラム、およびデータ通信プログラムを記録したコンピュータ読み取り可能な記録媒体を提供する。【解決手段】  データ通信装置から宛先不明の電子メールが送信された場合に、宛先不明の電子メールが送信された旨が前記宛先不明の電子メールに関するユーザへ通知され（Ｓ２０８，Ｓ２１０）、さらに前記宛先不明の電子メールに関するユーザからの応答に応じて、電子メールのアドレス登録情報が変更される。【選択図】図５
2007066088.tif 000002
【特許請求の範囲】
【請求項１】
電子メールを送信する送信手段と、
電子メールを受信する受信手段と、
前記受信手段により受信された電子メールが、前記送信手段により宛先不明の電子メールが送信された旨を通知するエラーメールであるか否かを判断する判断手段と、
前記受信手段により受信された電子メールが前記エラーメールであると前記判断手段により判断された場合、前記宛先不明の電子メールが送信された旨を、前記宛先不明の電子メールに関するユーザに通知するための通知手段と、
前記宛先不明の電子メールに関するユーザからの応答に応じて、電子メールのアドレス登録情報を変更するアドレス変更手段と、
を有することを特徴とするデータ通信装置。
【請求項２】
前記宛先不明の電子メールに関するユーザの認証情報を取得する認証手段と、
前記認証手段により取得されたユーザの認証情報に基づいて、前記ユーザのアドレスを検索する検索手段と、をさらに有し、
前記通知手段は、前記宛先不明の電子メールが送信された旨を通知する電子メールを、前記検索手段により検索されたアドレスを宛先として前記送信手段に送信させることを特徴とする請求項１に記載のデータ通信装置。
【請求項３】
前記送信手段は、画像データを電子メールに添付して送信することが可能であることを特徴とする請求項１又は２に記載のデータ通信装置。
【請求項４】
受信された電子メールが、宛先不明の電子メールが送信された旨を通知するエラーメールであるか否かを判断する判断ステップと、
前記判断ステップにおいて、前記受信された電子メールが前記エラーメールであると判断された場合、前記宛先不明の電子メールが送信された旨を、前記宛先不明の電子メールに関するユーザに通知する通知ステップと、
前記宛先不明の電子メールに関するユーザからの応答に応じて、電子メールのアドレス登録情報を変更する変更ステップと、
を有することを特徴とするデータ通信方法。
【請求項５】
受信された電子メールが、宛先不明の電子メールが送信された旨を通知するエラーメールであるか否かを判断する判断手順と、
前記判断手順において、前記受信された電子メールが前記エラーメールであると判断された場合、前記宛先不明の電子メールが送信された旨を、前記宛先不明の電子メールに関するユーザに通知する通知手順と、
前記宛先不明の電子メールに関するユーザからの返答に応じて、電子メールのアドレス登録情報を変更する変更手順と、
をデータ通信装置に実行させるためのデータ通信プログラム。
【請求項６】
請求項５に記載のデータ通信プログラムを記録したコンピュータ読み取り可能な記録媒体。
【発明の詳細な説明】
【技術分野】
【０００１】
本発明は、データ通信装置、データ通信方法、データ通信プログラム、およびデータ通信プログラムを記録したコンピュータ読み取り可能な記録媒体に関する。
【背景技術】
【０００２】
近年、一度入力されたアドレスを記憶しておき、次回そのアドレスへ送信を行なう際には、記憶されているアドレス一覧から所望のアドレスを選択することができるアドレス帳機能を有するデータ通信装置が存在する。ユーザがこのアドレス帳機能を利用して電子メールの宛先を指定する場合、ユーザはアドレスを入力する煩わしさから開放される。
【０００３】
しかしながら、データ通信装置のアドレス帳に登録されているアドレスには、アドレスの使用中止などの理由から、受信先が存在しないアドレスが含まれている場合がある。本来、このような受信先が存在しないアドレスは、ユーザによって削除もしくは編集が行なわれるべきである。
【０００４】
データ通信装置がＬＡＮなどのネットワークに接続された状況において、受信先が存在しないアドレスを宛先とする電子メールがデータ通信装置から送信された場合、宛先不明の電子メールが送信された旨を通知するためのエラーメールが、所定のメールサーバから返信される。このエラーメールには、前記受信先が存在しないアドレスのアドレス情報が含まれる。ユーザは、データ通信装置に受信されたエラーメールを確認することによって、送信した電子メールが宛先不明であったことを知り、宛先不明のアドレスの削除もしくは編集をすることができる。
【０００５】
しかしながら、上述したアドレスの削除もしくは変更が実行されるためには、データ通信装置に受信されたエラーメールが、ユーザによって確認されることが必要である。
【０００６】
ここで、上記のアドレス帳機能を有するデータ通信装置として、画像データを電子メールに添付して送信可能なスキャナやプリンタなどの装置がある。このような装置で電子メールの送信処理が実行される場合には、通常、ユーザは電子メールの送信が完了するとともに当該装置が設置された場所から離れる。このため、宛先不明の電子メールが送信されたことによって当該装置にエラーメールが受信されたとしても、ユーザがエラーメールを確認することなく、受信先が存在しないアドレスがアドレス帳に登録され続けられることが生じ得る。
【０００７】
また、宛先不明の電子メールが送信されたことにより、エラーメールがデータ通信装置に受信されたときに、エラーメールの情報に含まれるアドレスをアドレス帳から自動的に削除するとともに、アドレスを削除した旨を通知するレポートを印字出力する技術が知られている（特許文献１）。
【０００８】
しかしながら、上記従来技術は、エラーメールの情報に含まれるアドレスを、自動的、すなわち強制的に削除するものであり、当該アドレスの削除をするか否かの判断を、宛先不明の電子メールの送信者など、宛先不明の電子メールに関するユーザに促すものではない。これにより、上記従来技術では、宛先不明の電子メールに関するユーザの知らないうちにアドレスが削除されるということが生じる。本来、このようなアドレスの削除は、当該ユーザによってアドレスを削除するか否かが判断された上で、実行されるべきものである。
【特許文献１】特開２００１−２１６２１６号公報
【発明の開示】
【発明が解決しようとする課題】
【０００９】
本発明は、上記従来技術の有する問題点に鑑みなされたものであり、その目的とするところは、データ通信装置から宛先不明の電子メールが送信された場合に、前記宛先不明の電子メールに関するユーザの知らないうちに、データ通信装置のアドレス登録情報が変更されることがなく、前記宛先不明の電子メールに関するユーザによって、データ通信装置のアドレス登録情報の管理が可能になるデータ通信装置、データ通信方法、データ通信プログラム、およびデータ通信プログラムを記録したコンピュータ読み取り可能な記録媒体を提供することにある。
【課題を解決するための手段】
【００１０】
本発明の上記目的は、下記の手段によって達成される。
【００１１】
（１）電子メールを送信する送信手段と、電子メールを受信する受信手段と、前記受信手段により受信された電子メールが、前記送信手段により宛先不明の電子メールが送信された旨を通知するエラーメールであるか否かを判断する判断手段と、前記受信手段により受信された電子メールが前記エラーメールであると前記判断手段により判断された場合、前記宛先不明の電子メールが送信された旨を、前記宛先不明の電子メールに関するユーザに通知するための通知手段と、前記宛先不明の電子メールに関するユーザからの応答に応じて、電子メールのアドレス登録情報を変更するアドレス変更手段とを有することを特徴とするデータ通信装置。
【００１２】
（２）前記宛先不明の電子メールに関するユーザの認証情報を取得する認証手段と、前記認証手段により取得されたユーザの認証情報に基づいて、前記ユーザのアドレスを検索する検索手段とをさらに有し、前記通知手段は、前記宛先不明の電子メールが送信された旨を通知する電子メールを、前記検索手段により検索されたアドレスを宛先として前記送信手段に送信させることを特徴とする（１）に記載のデータ通信装置。
【００１３】
（３）前記送信手段は、画像データを電子メールに添付して送信することが可能であることを特徴とする（１）又は（２）に記載のデータ通信装置。
【００１４】
（４）受信された電子メールが、宛先不明の電子メールが送信された旨を通知するエラーメールであるか否かを判断する判断ステップと、前記判断ステップにおいて、前記受信された電子メールが前記エラーメールであると判断された場合、前記宛先不明の電子メールが送信された旨を、前記宛先不明の電子メールに関するユーザに通知する通知ステップと、前記宛先不明の電子メールに関するユーザからの応答に応じて、電子メールのアドレス登録情報を変更する変更ステップとを有することを特徴とするデータ通信方法。
【００１５】
（５）受信された電子メールが、宛先不明の電子メールが送信された旨を通知するエラーメールであるか否かを判断する判断手順と、前記判断手順において、前記受信された電子メールが前記エラーメールであると判断された場合、前記宛先不明の電子メールが送信された旨を、前記宛先不明の電子メールに関するユーザに通知する通知手順と、前記宛先不明の電子メールに関するユーザからの返答に応じて、電子メールのアドレス登録情報を変更する変更手順とをデータ通信装置に実行させるためのデータ通信プログラム。
【００１６】
（６）（５）に記載のデータ通信プログラムを記録したコンピュータ読み取り可能な記録媒体。
【発明の効果】
【００１７】
本発明によれば、データ通信装置から宛先不明の電子メールが送信された場合に、宛先不明の電子メールが送信された旨が前記宛先不明の電子メールに関するユーザへ通知され、さらに前記宛先不明の電子メールに関するユーザからの応答に応じて、電子メールのアドレス登録情報が変更される。これにより、前記宛先不明の電子メールに関するユーザの知らないうちに、アドレス登録情報が変更されることがなく、前記宛先不明の電子メールに関するユーザによって、アドレス登録情報の管理が可能になる。
【００１８】
また、本発明によれば、宛先不明の電子メールが送信された旨を通知する電子メールが前記宛先不明の電子メールに関するユーザに送信されるために、用紙などの資源が浪費されることがない。
【発明を実施するための最良の形態】
【００１９】
以下、本発明の実施の形態を、図面を参照して詳細に説明する。
【００２０】
図１は、本発明の第１実施形態にかかるデータ通信システムの全体構成を示すブロック図である。
【００２１】
第１実施形態にかかるデータ通信システムは、データ通信装置としてのスキャナ１００と、メールサーバ２００と、ディレクトリサーバ３００と、ＰＣ（パーソナルコンピュータ）４００とを備え、これらの機器は、ネットワーク５００を介して相互に通信可能に接続されている。なお、ネットワーク５００に接続される機器の種類および台数は、図１に示す例に限定されない。
【００２２】
図２は、スキャナ１００の構成を示すブロック図である。
【００２３】
スキャナ１００は、制御部１０１、記憶部１０２、操作部１０３、画像読取部１０４、およびネットワークインタフェース１０５を含み、これらは信号を遣り取りするためのバス１０６を介して相互に接続されている。
【００２４】
制御部１０１は、ＣＰＵであり、プログラムにしたがって上記各部の制御および各種演算処理を行う。
【００２５】
記憶部１０２は、ＲＯＭ、ＲＡＭ、およびハードディスクから構成され、各種プログラムや、スキャン履歴が記録された履歴データおよびアドレスを登録して画像データ送信時に選択して指定できるアドレス帳のデータ（アドレス登録情報）などが格納されるとともに、プログラムを実行するための作業領域として一時的に使用され得る。
【００２６】
操作部１０３は、各種メッセージを表示するために使用される液晶表示器と、各種項目を入力するために使用される入力部とを有する。入力部は、例えば、液晶表示器上に配置されるタッチパネルと、液晶表示器の外側に配置されるテンキーなどの複数のキーやスタートボタンや一時停止ボタンを有する。ユーザは、上記構成を有する操作部１０３を操作することによって、ユーザ認証、画像データの送信宛先選択、およびスキャン設定などの処理をスキャナ１００に実行させることが出来る。
【００２７】
画像読取部１０４は、原稿をスキャンするために設けられ、原稿に光源で光を当ててその反射光を光電変換するためのＣＣＤ等の受光素子、および原稿を所定の読取位置まで搬送するための自動原稿搬送装置（ＡＤＦ）を備えている。
【００２８】
ネットワークインタフェース１０５は、ネットワーク５００を介して他の機器と通信するためのインタフェースであり、イーサネット（登録商標）、トークンリング、ＦＤＤＩ等の規格が用いられる。  スキャナ１００が上述した構成を有することによって、スキャナ１００において、スキャンにより原稿が読み取られて画像データが作成されるとともに、当該画像データが電子メールに添付されて所定の宛先に送信されるＳｃａｎＴｏＥ−Ｍａｉｌ処理が実行され得る。
【００２９】
メールサーバ２００は、電子メールの送受信のための通信サービスを提供し得るサーバ
コンピュータであり、例えば、ＳＭＴＰおよびＰＯＰを利用するものである。また、メールサーバ２００は、宛先不明の電子メールがスキャナ１００から送信された場合、宛先不明の電子メールが送信された旨を通知するためのエラーメールを、スキャナ１００に返信することが可能である。エラーメールについて、詳しくは後述する。
【００３０】
ディレクトリサーバ３００は、ネットワークを利用するユーザの電子メールアドレスや環境に関する情報を管理するディレクトリサービスを提供する。ディレクトリサービスへのアクセスには、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）というプロトコルが標準的に用いられている。このディレクトリサーバ３００には、ユーザに関する階層構造の情報が格納される。したがって、ディレクトリサーバ３００は、たとえばユーザ名から、当該ユーザに関係付けられた電子メールアドレスなどの情報を検索することができる。  ＰＣ４００は、制御部、記憶部、ディスプレイ、入力装置、およびネットワークインタフェースを含み、これらは信号を遣り取りするためのバスを介して相互に接続されている。制御部は、プログラムにしたがって上記各部の制御および各種演算処理を行う。記憶部は、たとえばＲＯＭ，ＲＡＭ、およびハードディスクから構成されており、ＯＳ（Ｏｐｅｒａｔｉｎｇ  Ｓｙｓｔｅｍ）やメールサーバとメール通信を行なうためのメールソフトなどのプログラム、および各種データが格納されるとともに、プログラムを実行するための作業領域として一時的に使用され得る。ディスプレイは、各種の表示を行う。入力装置は、キーボードやマウス等であり、各種の入力を行うために使用される。ネットワークインタフェースは、ネットワーク５００に接続しネットワーク５００上の他の機器と通信するためのインタフェースである。
【００３１】
次に、図３を参照して、スキャナ１００において実行されるＳｃａｎＴｏＥ−Ｍａｉｌ処理について説明する。なお、図３のフロチャートにより示されるアルゴリズムは、スキャナ１００の記憶部１０２にプログラムとして記憶されており、制御部１０１によって実行される。
【００３２】
はじめに、ユーザ認証が行なわれる（Ｓ１０１）。具体的には、ユーザが操作部１０３を操作することによって入力されたユーザ名およびパスワードが、ディレクトリサーバ３００に登録されているユーザ名およびパスワードであるか否かが判断される。
【００３３】
入力されたユーザ名およびパスワードがディレクトリサーバ３００に登録されているユーザ名およびパスワードであると判断された場合、スキャン処理が実行される（Ｓ１０２）。具体的には、ユーザによりスキャナ１００上に載置された原稿が画像読取部１０４により読み取られて、画像データが記憶部１０２に記憶される。そして、ユーザが操作部１０３を操作することにより、スキャナ１００から送信される画像データが選択されるとともに画像データの送信方法、および送信先あるいは記憶先が選択される。画像データの送信方法としては、電子メール、ＦＴＰ、ＳＭＢなどがあり、これらは複数、同時に選択され得る。また、画像データの送信先は、アドレス帳に登録されているアドレスから選択され得る。また、画像データの記憶先は、スキャナ１００の記憶部１０２におけるハードディスクが選択され得る。
【００３４】
続いて、画像データの送信方法として電子メールが選択されたか否かが判断される（Ｓ１０３）。
【００３５】
画像データの送信方法として電子メールが選択されていないと判断された場合（Ｓ１０３でＮＯ）、図３の処理は終了する。
【００３６】
画像データの送信方法として電子メールが選択されたと判断された場合（Ｓ１０３でＹＥＳ）、電子メールのヘッダ情報を含む情報であるスキャンジョブ情報、およびユーザ情報が記憶部に記憶される（Ｓ１０４）。
【００３７】
続いて、ステップＳ１０２でユーザにより選択された画像データが電子メールに添付されて、電子メールが送信される（Ｓ１０５）。
【００３８】
ＳｃａｎＴｏＥ−Ｍａｉｌ処理におけるステップＳ１０５で送信された電子メールの宛先が不明であった場合には、上述したようにメールサーバ２００からエラーメールがスキャナ１００に送信される。このエラーメールについて、以下に説明する。
【００３９】
図４は、エラーメールの一例を示す図である。
【００４０】
図４に示すように、エラーメールには、スキャナ１００から送信された電子メールの配達状況を示す文書が添付され、当該文書中に含まれるＡｃｔｉｏｎパラメータ部分に、ｆａｉｌｅｄと記載されている。
【００４１】
次に、エラーメールがスキャナ１００に受信された後に、スキャナ１００において実行される処理について、図５を用いて説明する。
【００４２】
図５のフロチャートにより示されるアルゴリズムは、図３に示されるアルゴリズムと同様、スキャナ１００の記憶部１０２にプログラムとして記憶されており、制御部１０１によって実行される。
【００４３】
はじめに、受信された電子メールが、メールサーバ２００から送信されたエラーメールであるか否かが判断される（Ｓ２０１，Ｓ２０２）。具体的には、前記Ａｃｔｉｏｎパラメータ部分がｆａｉｌｅｄであるか否かが確認される。
【００４４】
受信された電子メールが前記エラーメールではないと判断された場合（Ｓ２０２でＮＯ）、図５の処理は終了する。
【００４５】
受信された電子メールが前記エラーメールであると判断された場合（Ｓ２０２でＹＥＳ）、受信されたエラーメールが、ＳｃａｎＴｏＥ−Ｍａｉｌ処理により送信された電子メールの宛先が不明であることを通知するエラーメールであるか否かが判断される（Ｓ２０３）。
【００４６】
受信されたエラーメールが、ＳｃａｎＴｏＥ−Ｍａｉｌ処理により送信された電子メールの宛先が不明であることを通知するエラーメールではないと判断された場合（Ｓ２０３でＮＯ）、図５の処理は終了する。
【００４７】
受信されたエラーメールが、ＳｃａｎＴｏＥ−Ｍａｉｌ処理により送信された電子メールの宛先が不明であることを通知するエラーメールであると判断された場合（Ｓ２０３でＹＥＳ）、ＳｃａｎＴｏＥ−Ｍａｉｌ処理により送信された電子メールの送信先に指定されている電子メールアドレス（以下、宛先不明アドレス）が、スキャナ１００のアドレス帳に登録されている電子メールアドレスであるか否かが判断される（Ｓ２０４）。
【００４８】
宛先不明アドレスがスキャナ１００のアドレス帳に登録されている電子メールアドレスではないと判断された場合（Ｓ２０４でＮＯ）、図５の処理は終了する。
【００４９】
宛先不明アドレスがスキャナ１００のアドレス帳に登録されている電子メールアドレスであると判断された場合（Ｓ２０４でＹＥＳ）、上述したステップＳ１０４で記憶されたスキャンジョブ情報及びユーザ情報が取得される（Ｓ２０５）。
【００５０】
続いて、取得されたユーザ情報から、宛先不明の電子メールをスキャナ１００から送信したユーザが特定され、特定されたユーザにアドレス帳の編集権限があるか否かが判断される（Ｓ２０６）。
【００５１】
特定されたユーザにアドレス帳の編集権限がないと判断された場合（Ｓ２０６でＮＯ）、図５の処理は終了する。
【００５２】
特定されたユーザにアドレス帳の編集権限があると判断された場合（Ｓ２０６でＹＥＳ）、ステップＳ２０６で特定されたユーザの電子メールアドレスがディレクトリサーバ３００から取得される（Ｓ２０７）。
【００５３】
続いて、取得された電子メールアドレスへ、宛先不明アドレスを変更するための電子メール（以下、アドレス変更メール）が送信される（Ｓ２０８）。
【００５４】
図６は、アドレス変更メールの一例を示す図である。
【００５５】
図６に示すように、スキャナ１００から送信されるアドレス変更メールには、ＳｃａｎＴｏＥ−Ｍａｉｌ処理により送信された電子メールの宛先が不明である旨の記載、当該宛先不明の電子メールの送信先に指定されている宛先不明アドレス（図に示すメールアドレス欄に記載された電子メールアドレス）、当該宛先不明アドレスに対応してアドレス帳に登録されているユーザ名（図に示すアドレス帳登録名欄に記載された名称）、およびアドレス帳に登録されたアドレスを変更するためのキーコードが、情報として含まれる。
【００５６】
ステップＳ２０８に続いて、スキャナ１００の管理者へも、アドレス変更メールを送信する必要があるか否かが判断される（Ｓ２０９）。具体的には、スキャナ１００のセットアップ時における設定あるいはデフォルトの設定に基づいて判断される。また、管理者の電子メールアドレスは、スキャナ１００のセットアップ時に登録されているアドレス情報、或いはディレクトリサーバ３００から取得される。
【００５７】
アドレス変更メールを管理者へ送信する必要がないと判断された場合（Ｓ２０９でＮＯ）、図５の処理は終了する。
【００５８】
アドレス変更メールを管理者へ送信する必要があると判断された場合（Ｓ２０９でＹＥＳ）、管理者の電子メールアドレス宛てに、アドレス変更メールが送信される（Ｓ２１０）。
【００５９】
第１実施形態において、アドレス変更メールは、スキャナ１００から送信された後、メールサーバ２００に受信される。ステップＳ２０６で特定されたユーザまたはスキャナ１００の管理者は、ＰＣ４００においてメールソフトを利用することによって、メールサーバ２００に受信されたアドレス変更メールを確認することができる。
【００６０】
そして、アドレス変更メールを確認したユーザあるいは管理者により当該アドレス変更メールがそのまま返信された場合、後述する図７に示す処理においてアドレス帳から当該宛先不明アドレスが削除され、また、当該アドレス変更メールに新しい電子メールアドレスを情報として含むファイルが添付されて返信された場合、上記と同様、図７に示す処理においてアドレス帳に登録されている当該宛先不明アドレスが編集される。
【００６１】
以下の説明において、アドレス帳に登録されている宛先不明アドレスを削除または編集するために、アドレス変更メールを確認したユーザあるいは管理者によりスキャナ１００宛てに返信される電子メールのことを、変更指示メールと記す。
【００６２】
なお、変更指示メールは、ＰＣ４００から送信された後、メールサーバ２００に受信され、さらにスキャナ１００がメールサーバ２００にアクセスすることによって、スキャナ１００に受信される。
【００６３】
次に、第１実施形態において、スキャナ１００において実行されるアドレス登録情報の変更処理を、図７を用いて説明する。
【００６４】
図７のフロチャートにより示されるアルゴリズムは、図３および５に示されるアルゴリズムと同様、スキャナ１００の記憶部１０２にプログラムとして記憶されており、制御部１０１によって実行される。
【００６５】
はじめに、受信された電子メールが、変更指示メールであるか否かが判断される（Ｓ３０１，Ｓ３０２）。
【００６６】
受信された電子メールが変更指示メールではないと判断された場合（Ｓ３０２でＮＯ）、図７の処理は終了する。
【００６７】
受信された電子メールが変更指示メールであると判断された場合（Ｓ３０２でＹＥＳ）、変更指示メールの送信者が、アドレス帳に登録されたアドレスを変更する権限を有するユーザであるか否かが判断される（Ｓ３０３）。具体的には、受信された変更指示メールに含まれるキーコードが確認されることによって判断される。
【００６８】
変更指示メールの送信者が、アドレス帳に登録されたアドレスを変更する権限を有する者ではないと判断された場合（Ｓ３０３でＮＯ）、図７の処理は終了する。
【００６９】
変更指示メールの送信者が、アドレス帳に登録されたアドレスを変更する権限を有する者であると判断された場合（Ｓ３０３でＹＥＳ）、変更指示メールの変更指示の内容が、アドレスの削除であるか否かが判断される（Ｓ３０４）。具体的には、受信された変更指示メールが、ステップＳ２０８またはステップＳ２０９でスキャナ１００から送信されたアドレス変更メールがそのまま返信されたものであるか否かが判断される。
【００７０】
変更指示の内容が宛先不明のアドレスの削除であると判断された場合（Ｓ３０４でＹＥＳ）、宛先不明アドレスがアドレス帳から削除される（Ｓ３０５）。
【００７１】
変更指示の内容が宛先不明アドレスの削除ではないと判断された場合（Ｓ３０４でＮＯ）、変更指示の内容が宛先不明アドレスの編集であるか否かが判断される（Ｓ３０６）。具体的には、受信されたアドレス変更メールに新しい電子メールアドレスを情報として含むファイルが添付されているか否かが判断される。
【００７２】
変更指示の内容が宛先不明アドレスの編集ではないと判断された場合（Ｓ３０６でＮＯ）、図７の処理は終了する。
【００７３】
変更指示の内容が宛先不明アドレスの編集であると判断された場合（Ｓ３０６でＹＥＳ）、変更指示メールの指示内容に従い、アドレス帳に登録されている宛先不明アドレスが、前記新しい電子メールアドレスに編集される（Ｓ３０７）。
【００７４】
なお、変更指示メールに含まれるキーコードは、アドレス帳の変更処理において、セキュリティを考慮しない場合、あるいはキーコードによる認証以外の方法によりセキュリティが確保される場合には、省略され得る。
【００７５】
以上、本発明によれば、データ通信装置から宛先不明の電子メールが送信された場合に、宛先不明の電子メールが送信された旨が前記宛先不明の電子メールに関するユーザへ通知され、さらに前記宛先不明の電子メールに関するユーザからの応答に応じて、電子メールのアドレス登録情報が変更される。これにより、前記宛先不明の電子メールに関するユーザの知らないうちに、アドレス登録情報が変更されることがなく、前記宛先不明の電子メールに関するユーザによって、アドレス登録情報の管理が可能になる。
【００７６】
また、本発明によれば、宛先不明の電子メールが送信された旨を通知する電子メールが前記宛先不明の電子メールに関するユーザに送信されるために、用紙などの資源が浪費されることがない。
【００７７】
次に、本発明の第２実施形態について説明する。第２実施形態は、アドレス帳に登録されたアドレス情報を変更するためにＷｅｂが利用される点で、第１実施形態と相違する。以下、第１実施形態との相違点を中心に説明する。
【００７８】
図８は、本発明の第２実施形態にかかるデータ通信システムの全体構成を示すブロック図である。
【００７９】
第２実施形態にかかるデータ通信システムは、第１実施形態で示した構成に加え、Ｗｅｂサーバ６００をさらに備えている。
【００８０】
Ｗｅｂサーバ６００は、ＷＷＷサーバ機能を有するコンピュータである。Ｗｅｂサーバ６００は、ＷＷＷデータベースとしてネットワーク上でＨＴＭＬ、ＸＭＬ等のマークアップ言語で記載された文書ファイルをクライアントへ公開して入力を受け付け、当該入力に基づいて所定の処理を行うことが可能である。
【００８１】
また、第２実施形態において、ＰＣ４００，５００の記憶部には、第１実施形態で記憶されるプログラムやデータの他に、Ｗｅｂブラウザが記憶される。
【００８２】
図９は、第２実施形態において、宛先不明の電子メールがスキャナ１００に受信された場合、スキャナ１００から送信されるアドレス変更メールの一例を示す図である。
【００８３】
図９に示されるアドレス変更メールには、ＳｃａｎＴｏＥ−Ｍａｉｌ処理により送信された電子メールの宛先が不明である旨の記載、当該宛先不明の電子メールの送信先に指定されている宛先不明アドレス（図に示すメールアドレス欄に記載された電子メールアドレス）、当該宛先不明アドレスに対応してアドレス帳に登録されているユーザ名（図に示すアドレス帳登録名欄に記載された名称）、アドレス帳に登録されたアドレスを変更するためのキーコード、およびアドレス帳に登録されたアドレスの変更を受け付ける変更設定画面のＵＲＬ（Ｕｎｉｆｏｒｍ  Ｒｅｓｏｕｒｃｅ  Ｌｏｃａｔｏｒ）が、情報として含まれる。
【００８４】
第２実施形態において、図９に示されるアドレス変更メールをＰＣ４００において確認したユーザあるいは管理者が、Ｗｅｂブラウザを利用して、アドレス変更メールに記載されたＵＲＬにより指定されるＷｅｂサーバ６００の情報領域にアクセスすると、アドレス帳に登録されたアドレスの変更設定画面が、ＰＣ４００のディスプレイ上に表示される。前記ユーザあるいは管理者は、この表示された変更設定画面上で、アドレス変更メールに記載されたキーコードの入力と、アドレス帳に登録されたアドレスを変更するための入力とを行なう。そして、この入力が完了すると、Ｗｅｂサーバ６００は、当該入力に基づく変更指示情報をスキャナ１００に送信する。
【００８５】
次に、第２実施形態において、スキャナ１００において実行されるアドレス登録情報の変更処理を、図１０を用いて説明する。
【００８６】
図１０のフロチャートにより示されるアルゴリズムは、スキャナ１００の記憶部１０２にプログラムとして記憶されており、制御部１０１によって実行される。
【００８７】
Ｗｅｂサーバ６００から変更指示情報が受信されると、変更設定画面で入力した者が、アドレス帳に登録されたアドレスを変更する権限を有するユーザであるか否かが判断される（Ｓ４０１，Ｓ４０２）。具体的には、変更指示情報に含まれるキーコードに基づいて判断される。
【００８８】
変更設定画面で入力した者が、アドレス帳に登録されたアドレスを変更する権限を有する者ではないと判断された場合（Ｓ４０２でＮＯ）、図１０の処理は終了する。
【００８９】
変更設定画面で入力した者が、アドレス帳に登録されたアドレスを変更する権限を有する者であると判断された場合（Ｓ４０２でＹＥＳ）、変更指示の内容が、宛先不明アドレスの削除であるか否かが変更指示情報に基づいて判断される（Ｓ４０３）。
【００９０】
変更指示の内容が、宛先不明アドレスの削除であると判断された場合（Ｓ４０３でＹＥＳ）、宛先不明アドレスがアドレス帳から削除される（Ｓ４０４）。
【００９１】
変更指示の内容が、宛先不明アドレスの削除ではないと判断された場合（Ｓ４０３でＮＯ）、変更指示の内容が、宛先不明アドレスの編集であるか否かが変更指示情報に基づいて判断される（Ｓ４０５）。
【００９２】
変更指示の内容が、宛先不明アドレスの編集ではないと判断された場合（Ｓ４０５でＮＯ）、図１０の処理は終了する。
【００９３】
変更指示の内容が、宛先不明アドレスの編集であると判断された場合（Ｓ４０５でＹＥＳ）、宛先不明アドレスが変更指示情報に基づいて編集される（Ｓ４０６）。
【００９４】
なお、前記キーコードは、第１実施形態と同様、アドレス帳を編集する権限を確認するために使用されるが、本実施形態においても、アドレス帳を編集するにあたって、セキュリティを考慮しない場合、またはキーコードによる認証以外の方法でセキュリティが確保されるのであれば、省略され得る。たとえば、キーコードによる認証以外の方法として、変更設定画面にセキュリティ機能を備える方法がある。
【００９５】
上述した第２実施形態においても、上述した第１実施形態における効果が発揮され得る。
【００９６】
本発明は、上述した実施形態のみに限定されるものではなく、特許請求の範囲内において、種々改変することができる。
【００９７】
例えば、上記各実施形態では、データ通信装置としてスキャナを例にして説明したが、本発明はこれに限定されるものではなく、データ通信装置は、プリンタ、デジタル複写機、ファクシミリ装置、電子メールプリンタ等の単体またはこれらの２つ以上の機能を有する多機能周辺機器（ＭＦＰ：Ｍｕｌｔｉｐｌｅ  Ｆｕｎｃｔｉｏｎ  Ｐｅｒｉｐｈｅｒａｌ）等であってもよい。
本実施形態にかかるデータ通信装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、画像形成装置の一機能としてその装置のソフトウェアに組み込まれてもよい。
【図面の簡単な説明】
【００９８】
【図１】本発明の第１実施形態にかかるデータ通信システムの全体構成を示すブロック図である。
【図２】スキャナの構成を示すブロック図である。
【図３】スキャナで実行されるＳｃａｎＴｏＥ−Ｍａｉｌ処理の手順を示すフロチャートである。
【図４】エラーメールの一例を示す図である。
【図５】ＳｃａｎＴｏＥ−Ｍａｉｌ処理で送信された電子メールの宛先が不明であった場合に、スキャナで実行される処理の手順を示すフロチャートである。
【図６】第１実施形態において、スキャナから送信されるアドレス変更メールの一例を示す図である。である。
【図７】第１実施形態において、スキャナにおいて実行されるアドレス登録情報の変更処理の手順を示すフロチャートである。
【図８】本発明の第２実施形態にかかるデータ通信システムの全体構成を示すブロック図である。
【図９】第２実施形態において、スキャナから送信されるアドレス変更メールの一例を示す図である。
【図１０】第２実施形態において、スキャナにおいて実行されるアドレス登録情報の変更処理の手順を示すフロチャートである。
【符号の説明】
【００９９】
１００    スキャナ、
１０１    制御部、
１０２    記憶部、
１０３    操作部、
１０４    画像読取部、
１０５    ネットワークインタフェース、
１０６    バス。
【図１】
2007066088.tif 000003
【図２】
2007066088.tif 000004
【図３】
2007066088.tif 000005
【図４】
2007066088.tif 000006
【図５】
2007066088.tif 000007
【図６】
2007066088.tif 000008
【図７】
2007066088.tif 000009
【図８】
2007066088.tif 000010
【図９】
2007066088.tif 000011
【図１０】
2007066088.tif 000012